(57)【要約】【課題】被写体を続けてストロボ撮像する場合に、待ち時間を短縮し、且つプリ発光を減らす。【解決手段】ＣＰＵ1は、撮像時に測定した被写体の輝度がメモリ7内に格納された直前撮像時の被写体の輝度以上であり、撮像時に測定した被写体までの距離が、メモリ手段内に格納された直前撮像時の被写体までの距離と等しい第１の条件と、蓄電手段の充電電圧が、直前のストロボランプ3発光前の電圧以上である第２の条件とが満たされた際に、ストロボランプ3の発光を許可する。また、ＣＰＵ1は、ストロボランプ3を弱く光らせるプリ発光と、ストロボランプ3を強く光らせる本発光を切り換える機能を有し、第１の条件と、第２の条件がともに満たされた際に、プリ発光せずに、直前の撮像時と同じ発光量で本発光を行う。【選択図】図２
2005274823.tif 000002
【特許請求の範囲】
【請求項１】
ストロボランプ(３)に給電すべき電荷を蓄積する蓄電手段と、該蓄電手段への充放電を制御するとともに、被写体の輝度及び被写体までの距離を測定する制御手段とを設けたカメラ機器に於いて、
制御手段は、測定した被写体の輝度及び被写体までの距離を格納するメモリ手段に繋がり、
制御手段は、撮像時に測定した被写体の輝度がメモリ手段内に格納された直前撮像時の被写体の輝度以上であり、撮像時に測定した被写体までの距離が、メモリ手段内に格納された直前撮像時の被写体までの距離と等しい第１の条件と、蓄電手段の充電電圧が、直前のストロボランプ(３)発光前の電圧以上である第２の条件とがともに満たされた際に、ストロボランプ(３)の発光を許可する判別機能を有することを特徴とするカメラ機器。
【請求項２】
制御手段は、ストロボランプ(３)を弱く光らせるプリ発光と、ストロボランプ(３)を強く光らせる本発光を切り換える機能を有し、
第１の条件と、第２の条件が満たされた際に、プリ発光せずに、直前の撮像時と同じ発光量で本発光を行う判別機能を有する請求項１に記載のカメラ機器。
【請求項３】
制御手段は、撮像時に第１の条件が満たされない場合に、蓄電手段の充電電圧が、満充電となった際に、ストロボランプ(３)の発光を許可する判別機能を有する請求項１に記載のカメラ機器。
【請求項４】
メモリ手段には、ストロボランプ(３)を発光させることなく撮像ができる被写体の輝度であるしきい値Ｙｔｈが格納され、
制御手段は、撮像時に測定した被写体までの距離が、メモリ手段内に格納された直前撮像時の被写体までの距離と異なり、且つ被写体の輝度がしきい値未満の場合に、蓄電手段の充電電圧が、満充電となった際に、ストロボランプ(３)の発光を許可する判別機能を有する請求項１に記載のカメラ機器。
【請求項５】
ストロボランプ(３)に給電すべき電荷を蓄積する蓄電手段と、該蓄電手段への充放電を制御するとともに、被写体の輝度及び被写体までの距離を測定する制御手段とを設けたカメラ機器の撮像方法であって、
測定した被写体の輝度及び被写体までの距離をメモリ手段に格納する工程と、
撮像時に測定した被写体の輝度がメモリ手段内に格納された直前撮像時の被写体の輝度以上であり、撮像時に測定した被写体までの距離が、メモリ手段内に格納された直前撮像時の被写体までの距離と等しい第１の条件を求める工程と、
蓄電手段の充電電圧が、直前のストロボランプ(３)発光前の電圧以上である第２の条件を求める工程と、
第１の条件と第２の条件が満たされた際に、ストロボランプ(３)の発光を許可する工程を有する判別機能を有するカメラ機器の撮像方法。
【発明の詳細な説明】
【技術分野】
【０００１】
本発明は、被写体に向けて発光するストロボランプを具えたカメラ機器及び撮像方法に関し、具体的にはデジタルカメラに関する。
【背景技術】
【０００２】
図９は、従来のデジタルカメラの斜視図である。キャビネット(２)上には、シャッタ釦(20)、撮像レンズ(21)、ストロボランプ(３)、液晶パネルであるディスプレイ(22)、メモリカード(４)が挿入されるスロット(23)が、周知の如く配備される。暗い場所で被写体を撮像するときは、ストロボランプ(３)を発光させる(以下、「ストロボ撮像」と呼ぶ)が、いきなり強い光を発光させるのではなく、プリ発光と呼ばれる動作が行われる。
これは、シャッタ釦(20)の半押し状態で、ストロボランプ(３)を弱く発光させて、被写体を結像させ、且つ被写体との距離を求める動作である(例えば、特許文献１参照)。プリ発光により、被写体との距離を求めてから、ストロボランプ(３)を強く光らせる本発光を行う。
【０００３】
図１０は、従来のデジタルカメラの内部ブロック図である。撮像レンズ(21)は駆動機構(図示せず)により、光軸に沿って移動可能であり、被写体の像は撮像レンズ(21)により絞り(54)を通ってＣＣＤ(５)上に結ばれる。ＣＣＤ(５)は受けた光信号を電気信号である画像信号に変換して出力し、該画像信号はＣＤＳ(相関二重サンプリング)回路(50)によりノイズが低減された後に、ＡＧＣ(自動利得制御)回路(51)によりレベルが調整される。画像信号は、Ａ／Ｄコンバータ(55)にてデジタル信号に変換され、信号処理部(52)にて黒レベルやホワイトバランスが調整された後に、制御手段であるＣＰＵ(１)に入力する。ＣＰＵ(１)にはシャッタ釦(20)の信号が入力され、画像信号は圧縮伸長回路(53)にて圧縮されてメモリカード(４)内に格納される。
ＣＰＵ(１)にはストロボ回路(30)が接続され、該ストロボ回路(30)はストロボランプ(３)に繋がった発光回路(31)と、コンデンサ(６)と、コンデンサ(６)を充電する充電回路(32)を具える。充電回路(32)はストロボランプ(３)を発光させるのに必要な電荷をコンデンサ(６)にチャージする回路であり、ＣＰＵ(１)によって、コンデンサ(６)の充電レベルをモニタされる。コンデンサ(６)が容量一杯に充電されると(以下、「満充電」と呼ぶ)、充電を停止させる。
充電後に、シャッタ釦(20)が押されると、ＣＰＵ(１)から発光回路(31)にその旨の信号が送られる。コンデンサ(６)に充電されていた電荷は、先ず一部がストロボランプ(３)に流れてプリ発光する。後記の原理に基づいてＣＣＤ(５)上に結ばれた被写体の輝度及び被写体との距離を求めた後に、残りの電荷がストロボランプ(３)に流れてストロボランプ(３)が本発光する。
【０００４】
図１１は、輝度から被写体が結像する地点を求める原理を説明する図であり、図１２は、撮像レンズ(21)から被写体までの距離を求める原理を説明する図である。
前記の如く、被写体の像は撮像レンズ(21)によりＣＣＤ(５)上に写される。図１１に示すように、撮像レンズ(21)を光軸に沿って移動させ、ＣＣＤ(５)が検知した輝度が最大となった点Ｐにて、撮像レンズ(21)を止めれば、被写体(９)の像はＣＣＤ(５)上に正しく結ばれる。
また、図１２に示すように、撮像レンズ(21)から被写体(９)までの距離をａ、撮像レンズ(21)からＣＣＤ(５)までの距離をｂ、撮像レンズ(21)の焦点距離をｆとすると、
１／ａ＋１／ｂ＝１／ｆ
であり、ｆとｂが判っているから、ａを求めることができる。
【０００５】
被写体(９)の像はＣＣＤ(５)上に結ばれているから、被写体(９)が正確に撮像される。また、光の照度はストロボランプ(３)からの距離の二乗に反比例するから、被写体(９)までの距離を知ることにより、最適なストロボランプ(３)の発光量を知り、且つコンデンサ(６)内の電荷が、ストロボ撮像に十分か否かを知ることができる。ストロボランプ(３)の発光量は、ストロボランプ(３)を発光させないときの被写体の輝度と、撮影時に要求される輝度との差を求め、該差に相当する発光量となる。また、被写体の輝度と被写体(９)までの距離を知ることにより、最適な露光量も知ることができる。
撮像後は、次の撮像に備えて、充電回路(32)は再び電荷をコンデンサ(６)にチャージする。充電が不十分であると、発光量が不足して、正しく撮像されないから、コンデンサ(６)が満充電されるまでは、シャッタ釦(20)の操作を無視する機能を設けたカメラ機器もある。
【０００６】
【特許文献１】特開２００１−３５８９８８号公報
【発明の開示】
【発明が解決しようとする課題】
【０００７】
従来のカメラ機器にあっては、被写体をストロボ撮像してから、次に同じ被写体をストロボ撮像する場合には、コンデンサ(６)が満充電されてから、ストロボ撮像が許される。従って、同じ被写体を続けてストロボ撮像する場合、コンデンサ(６)が満充電されるまで、待つ必要があり、シャッタチャンスを逃がす場合があった。特に、カメラ機器のバッテリ(図示せず)の容量が減っているときは、満充電されるまで時間が掛かる。
また、ストロボ撮像の都度、プリ発光を行っているから、バッテリの浪費となる。更に、被写体が人間の場合、プリ発光により、被写体が目を閉じた画像を撮像する場合があり、撮像者にとって不本意な画像を撮像することもあった。
本発明の目的は、被写体を続けてストロボ撮像する場合に、待ち時間を短縮し、且つプリ発光を減らすことにある。
【課題を解決するための手段】
【０００８】
カメラ機器は、ストロボランプ(３)に給電すべき電荷を蓄積する蓄電手段と、該蓄電手段への充放電を制御するとともに、被写体の輝度及び被写体までの距離を測定する制御手段とを設けている。
制御手段は、測定した被写体の輝度及び被写体までの距離を格納するメモリ手段に繋がり、
制御手段は、撮像時に測定した被写体の輝度がメモリ手段内に格納された直前撮像時の被写体の輝度以上であり、撮像時に測定した被写体までの距離が、メモリ手段内に格納された直前撮像時の被写体までの距離と等しい第１の条件と、蓄電手段の充電電圧が、直前のストロボランプ(３)発光前の電圧以上である第２の条件とが満たされた際に、ストロボランプ(３)の発光を許可する判別機能を有する。
また、制御手段は、ストロボランプ(３)を弱く光らせるプリ発光と、ストロボランプ(３)を強く光らせる本発光を切り換える機能を有し、
第１の条件と、第２の条件がともに満たされた際に、プリ発光せずに、直前の撮像時と同じ発光量で本発光を行う判別機能を有する。
【発明の効果】
【０００９】
制御手段は、先ず１回目の撮像にて、被写体の輝度及び被写体までの距離を求める。２回目の撮像時には、測定した被写体の輝度が１回目の撮像時に得た被写体の輝度以上であり、被写体までの距離が、１回目の撮像時に得た被写体までの距離と等しい第１の条件を満たしているかを求める。
次に、制御手段は、蓄電手段、具体的にはコンデンサ(６)の充電電圧が、１回目の撮像時のストロボランプ(３)発光前の電圧以上である第２の条件を満たしているかを求める。第１の条件と、第２の条件がともに満たされると、ストロボランプ(３)の発光を許可する。
即ち、２回目の撮像時には、コンデンサ(６)が満充電されるのを待つことなく、コンデンサ(６)の充電電圧が１回目の発光前の充電電圧以上となると、撮像待機状態になる。
これにより、待ち時間が短くなり、シャッタチャンスを逃がす場合が少なくなる。特に、バッテリが減ってきた状態では、コンデンサ(６)が満充電されるまで時間が掛かるから、待ち時間を短縮する効果は大きい。
また、２回目の撮像時の際には、撮像時の輝度が１回目の撮像時の輝度以上であり、被写体までの距離が１回目の撮像時と変わらないときは、プリ発光せずに撮像する。これにより、撮像の都度、プリ発光することがなく、バッテリの浪費を防ぐことができる。更に、プリ発光の回数を減らすことにより、被写体が人間の場合、被写体が目を閉じた画像を撮像する虞れを少なくすることができる。
【発明を実施するための最良の形態】
【００１０】
以下、本発明の一例を図を用いて説明する。デジタルカメラの外観は、図９に示す従来のものと同じである。
図１は、本例に係わるデジタルカメラの内部ブロック図である。ストロボ回路(30)、及び撮像レンズ(21)からＣＰＵ(１)に至るまでの構成は、図１０に示す従来のものと同じである。ＣＰＵ(１)はメモリ(７)に繋がり、該メモリ(７)はＣＰＵ(１)が測定した被写体の輝度及び被写体までの距離、コンデンサ(６)への蓄電レベルが格納されるＲＡＭと、動作プログラムが格納されたＲＯＭを併せ持つ。また、ＣＰＵ(１)は、数フレーム分の画像データを格納可能な内蔵メモリ(70)にも繋がる。被写体の輝度及び被写体までの距離は、ＣＰＵ(１)に内蔵されたキャッシュメモリ(図示せず)に格納してもよい。
また、メモリ(７)内には、ストロボランプ(３)の発光が必要な輝度レベルであるしきい値Ｙｔｈが格納されている。即ち、測定した被写体の輝度がしきい値Ｙｔｈ未満ならば、ストロボランプ(３)を発光させる必要があり、被写体の輝度がしきい値Ｙｔｈ以上ならば、ストロボランプ(３)を発光させる必要はない。
尚、撮像時には、ストロボ発光に合わせて露光が行われるが、デジタルカメラでは絞り(54)が固定絞りとなっているので、露光制御はＣＣＤ(５)の電子シャッタの速度、及びＡＧＣ回路(51)のゲイン調整を組みあわせて行われる。被写体までの距離を求める際には、被写体の輝度に応じたプリ露光と呼ばれる露光制御が行われ、画像データをメモリカード(４)に格納する際には、プリ露光よりもゲインレベルの高い本露光が行われる。
【００１１】
(撮像動作)
撮像動作の全体概略は、図２のフローチャートに示され、図２のフローチャートに付されたステップ番号は、後記の図３乃至図７のフローチャートのステップ番号に対応している。以下の記載では、２回撮像する動作を示す。先ず、１回目の撮像で被写体の輝度Ｙ１と被写体までの距離Ｌ１を求める(Ｓ１、Ｓ３)。２回目の撮像時には、求めた被写体の輝度Ｙ２が前記Ｙ１以上であり、且つ被写体までの距離Ｌ２がＬ１と同じであれば(Ｓ１９)、撮像を許可する(Ｓ２７)。撮像が許可できなければ、コンデンサ(６)を充電して(Ｓ２９)、充電電圧Ｖｘがプリ発光前のコンデンサ(６)の充電電圧Ｖｂ以上となれば(Ｓ３０)、再び被写体の輝度Ｙ４と被写体までの距離Ｌ４を求める。求めた被写体の輝度Ｙ４が前記Ｙ１以上であり、且つ被写体までの距離Ｌ４がＬ１と同じであれば(Ｓ３３)、撮像を許可する。再度許可できなければ、コンデンサ(６)を満充電させ、満充電されたら、撮像を許可する(Ｓ４６)。満充電されなければ、バッテリーの容量不足として、撮像できない旨を表示する(Ｓ５０)。
【００１２】
１回目の撮像
以下に、撮像時の動作を、図３乃至図７のフローチャートを用いて詳細に説明する。本例では１回目の撮像時に得た被写体の輝度及び被写体までの距離に基づいて、２回目の撮像時までの時間を短くし、且つ２回目の撮像時は必ずしもプリ発光しないことに特徴がある。当初、コンデンサ(６)はプリ発光するのに十分充電されているとする。
最初にシャッタ釦(20)が押されると(Ｓ１)、プリ発光させることなくプリ露光が行われる(Ｓ２)。撮像レンズ(21)が光軸に沿って移動して、被写体の像がＣＣＤ(５)上に結ばれるとともに、画像データがＣＰＵ(１)に取り込まれる。ＣＰＵ(１)は、被写体の輝度Ｙ１及び被写体との距離Ｌ１を求め(Ｓ３)、輝度Ｙ１をしきい値Ｙｔｈと比較する(Ｓ４)。輝度Ｙ１及び距離Ｌ１はメモリ(７)に格納される。
輝度Ｙ１がしきい値Ｙｔｈ以上であれば、被写体の輝度が十分に高いから、ステップＳ１３に進む。ストロボランプ(３)を発光させずに(Ｓ１４)、画像データを取り込み、圧縮処理してメモリカード(４)に格納し(Ｓ１５)、シャッタ釦(20)の操作待機状態に戻る(Ｓ１６)。
輝度Ｙ１がしきい値Ｙｔｈ未満であれば、ストロボランプ(３)を発光させる必要がある。
ＣＰＵ(１)は先ず、現在、即ちプリ発光前のコンデンサ(６)の充電電圧Ｖｂを測定し(Ｓ５)、メモリ(７)に格納する。次に、プリ発光とプリ露光を行い(Ｓ６)、プリ発光後のコンデンサ(６)の充電電圧Ｖｃを測定する(Ｓ７)。充電電圧ＶｂとＶｃ、及び満充電時の電圧Ｖａの関係は、図８に示され、プリ発光の後に本発光させると、コンデンサ(６)の充電電圧はＶｄまで下がる。
プリ発光によりＣＰＵ(１)に取り込んだ画像データに基づき、被写体までの距離と被写体の輝度から最適なストロボランプ(３)の発光量Ｆ１及び最適な露光量Ａ１を知る(Ｓ８)。ストロボランプ(３)を本発光させるとともに露光し(Ｓ９)、画像データを取り込み、圧縮処理してメモリカード(４)に格納する(Ｓ１０)。次の撮像に備えてコンデンサ(６)を充電する(Ｓ１１)。これで１回目の撮像が終了する。
【００１３】
２回目の撮像用意
１回目の撮像後、次の撮像に備えて、以下の動作を行う。ＣＰＵ(１)はコンデンサ(６)の充電電圧Ｖｘを測定し、該充電電圧Ｖｘが前回のプリ発光後の充電電圧Ｖｃ以上となると(Ｓ１２)、プリ露光を行う(Ｓ１７)。取り込んだ画像データから、被写体の輝度Ｙ２及び被写体との距離Ｌ２を求める(Ｓ１８)。被写体が動かず、且つカメラ機器の周囲の明るさが前回の撮像時と同じならば、被写体の輝度及び被写体との距離は変化しない筈である。ＣＰＵ(１)は、メモリ(７)から前回撮像時の輝度Ｙ１及び距離Ｌ１を読み出し、輝度Ｙ２と輝度Ｙ１、距離Ｌ２と距離Ｌ１を比較する(Ｓ１９)。Ｙ２≧Ｙ１且つＬ２＝Ｌ１であれば、ストロボ撮像又はストロボランプ(３)を発光させずに撮像が可能な旨を報知する。この報知は、例えばキャビネット(２)上のＬＥＤ(図示せず)を黄色に点灯させて行う(Ｓ２０)。ステップＳ１９にて、ＮＯであれば、ステップＳ２９に進み、コンデンサ(６)を引き続いて充電する。
【００１４】
ストロボ撮像が可能な旨を報知すると、使用者はシャッタ釦(20)を押して良いことが判る。ＣＰＵ(１)は、シャッタ釦(20)が一定時間内に押されたか否かを判別し(Ｓ２１)、押されないときは、ステップＳ２９に進み、コンデンサ(６)を引き続いて充電する。
シャッタ釦(20)が一定時間内に押されると、プリ露光を行い(Ｓ２２)、取り込んだ画像データから、被写体の輝度Ｙ３及び被写体との距離Ｌ３を求める(Ｓ２３)。
輝度Ｙ２と距離Ｌ２を求めた後に、輝度Ｙ３及び距離Ｌ３を求めるのは、シャッタ釦(20)が押されるまでに、被写体の輝度及び被写体との距離が変わったか否かを確認する為であり、輝度Ｙ３及び距離Ｌ３を求める工程は省いてもよい。
【００１５】
輝度Ｙ３としきい値Ｙｔｈを比較し(Ｓ２４)、輝度Ｙ３がしきい値Ｙｔｈ以上であれば、ステップＳ１３に進み、ストロボランプ(３)を発光させずに(Ｓ１４)、画像データを取り込み、圧縮処理してメモリカード(４)に格納する。
輝度Ｙ３がしきい値Ｙｔｈ未満であれば、輝度Ｙ３と輝度Ｙ１、距離Ｌ３と距離Ｌ１を比較する(Ｓ２５)。Ｙ３≧Ｙ１且つＬ３＝Ｌ１であれば、ストロボランプ(３)を発光させるとともに露光し、画像データを圧縮処理してメモリカード(４)に格納する(Ｓ２７)。Ｙ３＝Ｙ１ならば、ストロボランプ(３)の発光量及び露光量は、１回目の撮像時と同じ発光量Ｆ１及び露光量Ａ１となる(Ｓ２６)。即ち、プリ発光せずに、２回目の撮像が終了する。
【００１６】
本例にあっては、２回目の撮像時には、コンデンサ(６)が満充電されるのを待つことなく、コンデンサ(６)の充電電圧Ｖｘが前回のプリ発光後の充電電圧Ｖｃ以上となると、撮像待機状態になる。これにより、待ち時間が短くなり、シャッタチャンスを逃がす場合が少なくなる。特に、バッテリが減ってきた状態では、コンデンサ(６)が満充電されるまで時間が掛かるから、待ち時間を短縮する効果は大きい。
また、２回目の撮像時の際には、撮像時の輝度が１回目の撮像時の輝度以上であり、被写体までの距離が１回目の撮像時と変わらないときは、プリ発光せずに撮像する。これにより、撮像の都度、プリ発光することがなく、バッテリの浪費を防ぐことができる。更に、プリ発光の回数を減らすことにより、被写体が人間の場合、被写体が目をつぶった画像を撮像する虞れを少なくすることができる。
【００１７】
２回目の撮像失敗時
ステップＳ２５にて、ＮＯであれば、ステップＳ２８に進み、撮像が不可能な旨を報知する。この報知は、例えば警告音を発することにより行う。コンデンサ(６)を引き続いて充電するとともに、ＣＰＵ(１)はシャッタ釦(20)が２回目に押し込み操作されたことを無視する。
ＣＰＵ(１)は、コンデンサ(６)を引き続いて充電し(Ｓ２９)、該充電電圧Ｖｘがプリ発光前のコンデンサ(６)の充電電圧Ｖｂ以上となれば(Ｓ３０)、プリ露光を行い(Ｓ３１)、取り込んだ画像データから、被写体の輝度Ｙ４及び被写体との距離Ｌ４を求める(Ｓ３２)。次に、輝度Ｙ４と輝度Ｙ１、距離Ｌ４と距離Ｌ１を比較する(Ｓ３３)。Ｙ４≧Ｙ１且つＬ４＝Ｌ１であれば、被写体が動かず、１回目の撮像時よりも被写体の輝度が高いから、ＣＰＵ(１)は、ストロボ撮像又はストロボランプ(３)を発光させずに撮像が可能な旨を報知する。この報知は、例えばキャビネット(２)上のＬＥＤ(図示せず)を青色に点灯させて行う(Ｓ３４)。
ＣＰＵ(１)は、シャッタ釦(20)が一定時間内に再度押されたか否かを判別し(Ｓ３５)、押されないときは、ステップＳ４５に進み、コンデンサ(６)を引き続いて充電する。
【００１８】
シャッタ釦(20)が一定時間内に再度押されると、プリ露光を行い(Ｓ３６)、取り込んだ画像データから、被写体の輝度Ｙ５及び被写体との距離Ｌ５を求める(Ｓ３７)。
輝度Ｙ４と距離Ｌ４を求めた後に、輝度Ｙ５及び距離Ｌ５を求めるのは、シャッタ釦(20)が押されるまでに、被写体の輝度及び被写体との距離が変わったか否かを確認する為であり、輝度Ｙ５及び距離Ｌ５を求める工程は省いてもよい。
輝度Ｙ５としきい値Ｙｔｈを比較し(Ｓ３８)、輝度Ｙ５がしきい値Ｙｔｈ以上であれば、ステップＳ１３に進み、ストロボランプ(３)を発光させずに(Ｓ１４)、画像データを取り込み、圧縮処理してメモリカード(４)に格納する。
輝度Ｙ５がしきい値Ｙｔｈ未満であれば、輝度Ｙ５と輝度Ｙ１、距離Ｌ５と距離Ｌ１を比較する(Ｓ３９)。Ｙ５≧Ｙ１且つＬ５＝Ｌ１であれば、被写体が動かず１回目の撮像時よりも被写体の輝度が高いから、プリ発光及びプリ露光を行い(Ｓ４０)、該距離Ｌ５から最適なストロボランプ(３)の発光量Ｆ２及び最適な露光量Ａ２を知る(Ｓ４１)。Ｌ５＝Ｌ１であるから、ストロボランプ(３)の発光量Ｆ２は、１回目の発光量Ｆ１と同じに思えるが、被写体の輝度Ｙ５＞Ｙ１ならば、厳密にはＦ２＜Ｆ１である。
ストロボランプ(３)を本発光させるとともに露光し(Ｓ４２)、画像データを取り込み、圧縮処理してメモリカード(４)に格納する(Ｓ４３)。次の撮像に備えてコンデンサ(６)の充電を開始する。
本例にあっては、２回目の撮像時に失敗しても、コンデンサ(６)の充電電圧Ｖｘが１回目の撮像のプリ発光前の充電電圧Ｖｂ以上となると、撮像待機状態になる。即ち、コンデンサ(６)が満充電されるのを待つことなく、撮像が可能となる。
これにより、待ち時間が短くなり、シャッタチャンスを逃がす場合が少なくなる。特に、バッテリが減ってきた状態では、コンデンサ(６)が満充電されるまで時間が掛かるから、待ち時間を短縮する効果は大きい。
【００１９】
ステップＳ３９にて、ＮＯであれば、ステップＳ４４に進み、キャビネット(２)上のＬＥＤ(図示せず)を点灯させるか、警告音を発して、撮像が不可能な旨を報知する(Ｓ４４)。コンデンサ(６)を引き続いて充電する(Ｓ４５)。
充電電圧Ｖｘが満充電時の電圧Ｖａに等しくなれば(Ｓ４６)、コンデンサ(６)の充電を止める(Ｓ４７)。ＣＰＵ(１)は、ストロボ撮像又はストロボランプ(３)を発光させずに撮像が可能な旨を報知する。この報知は、例えばキャビネット(２)上のＬＥＤ(図示せず)を緑色に点灯させて行う(Ｓ４８)。カメラ機器は、シャッタ釦(20)が押されるのを待機する状態となる(Ｓ４９)。
バッテリーの容量不足等で、充電電圧Ｖｘが満充電時の電圧Ｖａに達しない場合は、満充電できない旨を、ディスプレイ(22)に表示し(Ｓ５０)、動作が終了する。
上記の記載では、２回撮像する場合を例示したが、３回以上撮像する場合は、上記の動作を繰り返す。
【００２０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００２１】
【図１】デジタルカメラの内部ブロック図である。
【図２】撮像動作の全体概略を示すフローチャートである。
【図３】撮像時の動作を示すフローチャートである。
【図４】撮像時の動作を示すフローチャートである。
【図５】撮像時の動作を示すフローチャートである。
【図６】撮像時の動作を示すフローチャートである。
【図７】撮像時の動作を示すフローチャートである。
【図８】充電電圧ＶｂとＶｃ、及び満充電時の電圧Ｖａの関係を示す図である。
【図９】従来のデジタルカメラの斜視図である。
【図１０】従来のデジタルカメラの内部ブロック図である。
【図１１】輝度から被写体が結像する地点を求める原理を説明する図である。
【図１２】撮像レンズから被写体までの距離を求める原理を説明する図である。
【符号の説明】
【００２２】
(１)  ＣＰＵ
(２)  キャビネット
(３)  ストロボランプ
(４)  メモリカード
(５)  ＣＣＤ
(６)  コンデンサ
(７)  メモリ
【図１】
2005274823.tif 000003
【図２】
2005274823.tif 000004
【図３】
2005274823.tif 000005
【図４】
2005274823.tif 000006
【図５】
2005274823.tif 000007
【図６】
2005274823.tif 000008
【図７】
2005274823.tif 000009
【図８】
2005274823.tif 000010
【図９】
2005274823.tif 000011
【図１０】
2005274823.tif 000012
【図１１】
2005274823.tif 000013
【図１２】
2005274823.tif 000014